(57)【要約】【課題】プローバフレームのコンタクトピンの設置位置と、プローバフレームの内部配線およびコンタクトピンとＴＦＴ基板の電極との導通とを同時に検査し、コンタクトピンの設置位置と、プローバフレームの内部配線およびコンタクトピンとＴＦＴ基板の電極との導通とが共に良であるか、あるいは少なくとも何れか一つが不良であるかを同時に検査する。【解決手段】ＴＦＴ基板検査装置用プローバフレームのコンタクトピンを上方に向けて載置する検査ステージと、検査ステージと対向して配置される検査用センサヘッドと、一端を検査用センサヘッドに接続し、他端を検査ステージ上に載置したＴＦＴ基板検査装置用プローバフレームの内部配線に接続し、この接続端間の導通状態を検査する検査部と、検査用センサヘッドを、検査ステージに対してＸ軸方向、Ｙ軸方向、およびＺ軸方向の３次元方向にそれぞれ独立して移動自在とする駆動機構を備える。【選択図】図３
2011007647.tif 000002
【特許請求の範囲】
【請求項１】
ＴＦＴ基板検査装置用プローバフレームを載置する検査ステージと、
前記検査ステージと対向して配置される検査用センサヘッドと、
一端を前記検査用センサヘッドに接続し、他端を前記検査ステージ上に載置したＴＦＴ基板検査装置用プローバフレームの内部配線に接続し、当該接続端間の導通状態を検査する検査部と、
前記検査用センサヘッドを、前記検査ステージに対してＸ軸方向、Ｙ軸方向、およびＺ軸方向の３次元方向にそれぞれ独立して移動自在とする駆動機構を備え、
前記駆動機構によって前記検査用センサヘッドを移動し、移動位置における前記検査部の出力に基づいて、前記ＴＦＴ基板検査装置用プローバフレームのコンタクトピンの設置位置と、前記ＴＦＴ基板検査装置用プローバフレームの内部配線およびコンタクトピンとＴＦＴ基板の電極との導通とが共に良であるか、あるいは前記コンタクトピンの設置位置、前記内部配線の導通、前記コンタクトピンとＴＦＴ基板の電極との導通の少なくとも何れか一つが不良であるかを同時に検査することを特徴とする、ＴＦＴ基板検査装置用プローバフレームの検査装置。
【請求項２】
前記検査用センサヘッドが備える接触端の接触面の大きさおよび形状は、前記ＴＦＴ基板に形成される電極の大きさおよび形状と同じであることを特徴とする、請求項１に記載のＴＦＴ基板検査装置用プローバフレームの検査装置。
【請求項３】
前記検査用センサヘッドは前記検査部を備えることを特徴とする請求項１又は２に記載のＴＦＴ基板検査装置用プローバフレームの検査装置。
【請求項４】
前記駆動機構は、ＴＦＴ基板の電極の位置データに基づいて前記検査用センサヘッドの前記移動位置を定め、当該移動位置に前記検査用センサヘッドの接触端を位置決めすることを特徴とする、請求項１から３の何れか一つに記載のＴＦＴ基板検査装置用プローバフレームの検査装置。
【発明の詳細な説明】
【技術分野】
【０００１】
本発明は、ＴＦＴ基板を検査するＴＦＴ基板検査装置に用いるプローバフレームを検査する検査装置に関する。
【背景技術】
【０００２】
液晶基板や薄膜トランジスタアレイ基板（ＴＦＴアレイ基板）は、ガラス基板等の基板上に液晶パネルやプラズマディスプレイパネル等を構成する薄膜トランジスタ（ＴＦＴ）がマトリックス状に配置されてなるＴＦＴアレイと、この薄膜トランジスタに駆動信号を供給する電極とを備え、薄膜トランジスタは走査信号用の電極，映像信号用の電極から供給された信号により駆動される。
【０００３】
液晶パネルやプラズマディスプレイパネル等のＴＦＴ基板に形成されるＴＦＴアレイを検査する装置としてＴＦＴ基板検査装置が知られている。ＴＦＴ基板検査装置は、走査信号用の電極，映像信号用の電極と電気的に接続する検査用のプローバと検査部を備える。
【０００４】
ＴＦＴ基板を検査する際には、ＴＦＴ基板の上方からプローバのプローバフレームを重ね、プローバフレームに設けたコンタクトピンをＴＦＴ基板の電極に接触させ、このコンタクトピンと電極との接触によってＴＦＴ基板とプローバとに間の電気的接続を行っている。検査部は、プローバからの電圧印加により流れる電流、あるいは電圧状態を検出して、ゲート−ソース間の短絡、点欠陥、断線等を調べる。
【０００５】
ＴＦＴ基板検査では、ＴＦＴ基板の電極に検査信号や制御信号が確実に印加されることが求められる。そのためには、プローバフレームに設けたコンタクトピンをＴＦＴ基板の電極に接触させる際に、コンタクトピンと電極との間に位置ずれが生じないことが必要である。また、プローバフレーム内の配線が断線や誤配線していない等の導通が良好であることが求められる。
【０００６】
コンタクトピンと電極との間に位置ずれが生じないためには、コンタクトピンがプローバフレームに対して正しい位置に設置されている必要がある。このコンタクトピンの位置は、検査対象のＴＦＴ基板に設けられた電極の位置に対応している。
【０００７】
従来、プローバフレームに実装されたコンタクトピンの位置精度は、プローバフレームの加工精度によって保証する他、プローバフレームの各部の寸法を測定し、測定寸法に基づいて計算によってコンタクトピンの位置を算出することによって確認している。また、三次元測定器を用いて実測することもできる。
【０００８】
また、プローバフレーム内の配線の導通状態は、導通テスターを用いてプローバフレームのコンタクトピンと出力端子との間の導通検査によって確認することができる。
【発明の概要】
【発明が解決しようとする課題】
【０００９】
ＴＦＴ基板の大面積化に伴ってプローバフレームも大型化し、また、電極の個数もマザーガラス１枚に付き例えば１０００個以上となり、電極の配置位置もパネルデザインによって異なる。そのため、測定寸法に基づいてコンタクトピンの位置を算出する場合には、検査工程が増加するという問題が生じ、また、プローバフレームのコンタクトピンの設置位置を三次元測定器を用いて実測する場合には、大型の三次元測定器が必要となるという問題が生じる。
【００１０】
また、導通テスターを用いた導通検査は、プローバフレームの内部の配線の導通状態を確認するに止まり、コンタクトピンとＴＦＴ基板の電極との間の接触を含めた導通状態については確認することができないという問題がある。
【００１１】
そこで、本発明は前記した従来の問題点を解決し、プローバフレームのコンタクトピンの設置位置を自動で測定することを目的とし、ＴＦＴ基板毎に異なる電極配置に対する対応を容易に行うことを目的とする。
【００１２】
また、ＴＦＴ基板検査装置用プローバフレームのコンタクトピンの設置位置と、ＴＦＴ基板検査装置用プローバフレームの内部配線およびコンタクトピンとＴＦＴ基板の電極との導通とを同時に検査し、コンタクトピンの設置位置と、ＴＦＴ基板検査装置用プローバフレームの内部配線およびコンタクトピンとＴＦＴ基板の電極との導通とが共に良であるか、あるいは少なくとも何れか一つが不良であるかを同時に検査することを目的とする。
【課題を解決するための手段】
【００１３】
本発明の検査装置は、Ｘ軸方向，Ｙ軸方向，およびＺ軸方向に移動自在とする検査用センサヘッドを用い、その検査用センサヘッドをＴＦＴ基板の電極に対応させることによって検査を行うものである。検査用センサヘッドをＴＦＴ基板の電極位置に基づいて移動し、移動した位置においてコンタクトピンとの接触状態を導通の有無によって検査する。この検査によって、ＴＦＴ基板の電極位置とコンタクトピンの位置との位置合わせの有無と、プローバフレームの内部配線の導通およびコンタクトピンとＴＦＴ基板の電極との導通の有無とを同時に測定し、コンタクトピンの設置位置と、ＴＦＴ基板検査装置用プローバフレームの内部配線およびコンタクトピンとＴＦＴ基板の電極との導通とが共に良であるか、あるいは少なくとも何れか一つが不良であるかを同時に検査する。
【００１４】
本発明のＴＦＴ基板検査装置用プローバフレームの検査装置は、ＴＦＴ基板検査装置用プローバフレームのコンタクトピンを上方に向けて載置する検査ステージと、検査ステージと対向して配置される検査用センサヘッドと、一端を検査用センサヘッドに接続し、他端を検査ステージ上に載置したＴＦＴ基板検査装置用プローバフレームの内部配線に接続し、この接続端間の導通状態を検査する検査部と、検査用センサヘッドを、検査ステージに対してＸ軸方向、Ｙ軸方向、およびＺ軸方向の３次元方向にそれぞれ独立して移動自在とする駆動機構を備える。
【００１５】
駆動機構は検査用センサヘッドをＴＦＴ基板の電極に対応する位置に移動し、検査部は移動位置において出力に取得する。この検査部の出力は、検査用センサヘッドとＴＦＴ基板検査装置用プローバフレームのコンタクトピンとの接触と、ＴＦＴ基板検査装置用プローバフレームの内部配線とで形成される回路の導通状態とを合わせた状態を表している。
【００１６】
本発明のＴＦＴ基板検査装置用プローバフレームの検査装置は、検査部の出力を取得することによって、コンタクトピンの設置位置が良好に位置決めされ、かつ、ＴＦＴ基板検査装置用プローバフレームの内部配線およびコンタクトピンとＴＦＴ基板の電極との導通が良好な導通状態にある状態にあるか、あるいは、コンタクトピンの設置位置、プローバフレームの内部配線の導通、コンタクトピンとＴＦＴ基板の電極との導通の少なくとも何れか一つが不良であることを、同時に検査することができる。
【００１７】
本発明の検査用センサヘッドが備える接触端の接触面の大きさおよび形状は、ＴＦＴ基板に形成される電極の大きさおよび形状と同じである。これによって、ＴＦＴ基板の電極とプローバフレームのコンタクトピンとの接触状態を、検査用センサヘッドの接触端とプローバフレームのコンタクトピンとの接触状態によって同条件で検査することができる。
【００１８】
また、検査部は、検査用センサヘッドと別に設ける構成とする他、検査用センサヘッドに設ける構成としてもよい。
【００１９】
本発明の駆動機構は、ＴＦＴ基板の電極の位置データに基づいて検査用センサヘッドを移動させる位置を定め、移動位置に検査用センサヘッドの接触端を位置決めする。ＴＦＴ基板の電極の位置データに基づいて検査用センサヘッドを移動することによって、プローバフレームの検査を自動化することができ、また、ＴＦＴ基板のパネルのデザインの変更によって電極の配置位置が変更された場合であっても、単に電極の位置データを書き換えることによって検査を行うことができる。
【発明の効果】
【００２０】
本発明によれば、プローバフレームのコンタクトピンの設置位置を自動で測定することができる。
【００２１】
本発明によれば、ＴＦＴ基板毎に異なる電極配置に対する対応を容易に行うことができる。
【００２２】
本発明によれば、ＴＦＴ基板検査装置用プローバフレームのコンタクトピンの設置位置と、ＴＦＴ基板検査装置用プローバフレームの内部配線およびコンタクトピンとＴＦＴ基板の電極との導通とを同時に検査し、コンタクトピンの設置位置と、ＴＦＴ基板検査装置用プローバフレームの内部配線およびコンタクトピンとＴＦＴ基板の電極との導通とが共に良であるか、あるいは少なくとも何れか一つが不良であるかを同時に検査することができる。
【図面の簡単な説明】
【００２３】
【図１】プローバフレームおよびコンタクトピンとＴＦＴ基板との関係を説明するための図である。
【図２】本発明のＴＦＴ基板検査装置用プローバフレームの検査装置によってプローバフレームを検査するときのプローバフレームの姿勢を示す図である。
【図３】本発明のＴＦＴ基板検査装置用プローバフレームの検査装置の概略構成を説明するための図である。
【図４】本発明の駆動機構の駆動状態を説明するための図である。
【図５】本発明の検査用センサヘッドによる検査状態を説明するための図である。
【図６】本発明の検査用センサヘッドの接触端とプローバフレームのコンタクトピンとの位置関係を説明するための図である。
【図７】本発明の検査用センサヘッドの接触端の形状および大きさを説明するための図である。
【発明を実施するための形態】
【００２４】
以下、本発明の実施の形態について、図を参照しながら詳細に説明する。
本発明のＴＦＴ基板検査装置用プローバフレームの検査装置は、ＴＦＴ基板検査装置に適用することができる。ＴＦＴ基板検査装置は、例えば、導入されたＴＦＴ基板を検査する検査室と、この検査室に対してＴＦＴ基板を搬出入するロードロック室を備える。
【００２５】
検査室は、例えば、検査対象であるＴＦＴ基板に荷電粒子ビームを照射する荷電粒子源、この荷電粒子の照射によってＴＦＴ基板から放出される二次電子を検出する検出器、検査対象のＴＦＴ基板を支持すると共に二次元的に走査させるステージ等の各部分を備え、検出器で得られる走査画像に基づいてＴＦＴ基板検査を行う。
【００２６】
ＴＦＴ基板は、例えばガラス基板上にＴＦＴアレイが形成されている。このＴＦＴ基板に形成されるＴＦＴアレイのレイアウト、電極、配線パターン等は、液晶パネルやプラズマディスプレイパネル等のパネルサイズや仕様に応じて種々に設定される。ＴＦＴ基板上のＴＦＴアレイには薄膜トランジスタがマトリックス状に形成され、各薄膜トランジスタを駆動する信号電極（例えば、走査信号電極，映像信号電極）が形成されている。また、ＴＦＴ基板のアレイの外側には、ＴＦＴ基板の外部と電気的に接続するための電極が形成される。
【００２７】
ＴＦＴ基板検査装置は、ＴＦＴ基板に検査信号を供給するプローバを備える。図１は、プローバフレームおよびコンタクトピンとＴＦＴ基板との関係を説明するための図であり、図１（ａ）はプローバフレームを示し、図１（ｂ）はステージ上に載置したＴＦＴ基板を示し、図１（ｃ）はＴＦＴ基板にプローバフレームを取り付けた状態を示している。
【００２８】
プローバのプローバフレーム２０はコンタクトピン２１をＴＦＴ基板１０上に形成された電極１１に電気的に接続することによって検査信号をＴＦＴ基板１０に供給する。ＴＦＴ基板１０の検査を行うには、ステージ３０上に載置したＴＦＴ基板１０にプローバフレーム２０を配置する（図１（ｃ））。ＴＦＴ基板１０とプローバフレーム２０との間において、電極１１とコンタクトピン２１が接触することによって電気的な接続が行われ、コンタクトピン２１と電極１１との接続を通してＴＦＴ基板１０のＴＦＴアレイに検査信号が供給される。また、プローバフレーム２０とステージ３０との間の接続は、プローバフレーム２０及びステージ３０に設けたコネクタ（共に図示していない）により行われる。
【００２９】
本発明のＴＦＴ基板検査装置用プローバフレームの検査装置は、プローバフレーム２０のコンタクトピンの設置位置、プローバフレームの内部配線の導通、コンタクトピンとＴＦＴ基板の電極との導通を検査する検査装置であり、ＴＦＴ基板の電極に代えて検査用センサヘッドの接触端を用い、この検査用センサヘッドをＴＦＴ基板の電極位置に合わせて移動させることによって、プローバフレームをＴＦＴ基板の電極に接触させた状態と同様の状態を形成し、これによってコンタクトピンの位置検査と導通検査を行う。
【００３０】
図２は本発明のＴＦＴ基板検査装置用プローバフレームの検査装置によってプローバフレームを検査するときのプローバフレームの姿勢を示している。プローバフレームによってＴＦＴ基板を検査する場合には、ＴＦＴ基板の上方にプローバフレームを載置する関係から、コンタクトピンが下方を向く姿勢としている。これに対して、本発明のＴＦＴ基板検査装置用プローバフレームの検査装置による検査では、検査用センサヘッドを上方位置に配置する関係から、プローバフレームの姿勢を図２（ａ）の向きから図２（ｂ）に示すように反転させた姿勢とする。
【００３１】
なお、ここでは、検査用センサヘッドをプローバフレームの上方位置に配置する構成について示しているが、本発明はこの構成に限られるものではなく、検査用センサヘッドをプローバフレームの下方位置に配置する構成としてもよく、この構成では検査するプローバフレームは反転させる必要はなく、ＴＦＴ基板を検査する際と同様の姿勢とすることができる。
【００３２】
図３は、本発明のＴＦＴ基板検査装置用プローバフレームの検査装置１の概略構成を説明するための図である。
【００３３】
図３において、ＴＦＴ基板検査装置用プローバフレームの検査装置１は、プローバフレーム２０を載置する検査ステージ２と、検査ステージ２と対向して配置される検査用センサヘッド３と、一端を検査用センサヘッド３に接続し、他端を検査ステージ２上に載置したＴＦＴ基板検査装置用プローバフレームの内部配線に接続し、これら接続端間の導通状態を検査する検査部７と、検査用センサヘッド３を、検査ステージ２に対してＸ軸方向、Ｙ軸方向、およびＺ軸方向の３次元方向にそれぞれ独立して移動自在とする駆動機構４を備える。
【００３４】
検査用センサヘッド３は接触端３ａを備え、この接触端３ａを検査ステージ２上に載置されたプローバフレーム２０のコンタクトピン２１と接触して検査を行う。
【００３５】
駆動機構４は、検査用センサヘッド３をＸ軸方向に移動するＸ軸方向移動機構４ａ，検査用センサヘッド３をＹ軸方向に移動するＹ軸方向移動機構４ｂ，検査用センサヘッド３をＺ軸方向に移動するＺ軸方向移動機構４ｃを備える。駆動機構４は、駆動制御部５によって各軸方向の移動が制御される。駆動制御部５は、位置データ記憶部６に格納しておいたＴＦＴ基板の電極の位置データを読み出し、この位置データに基づいて移動位置を設定して駆動機構４を制御し、検査用センサヘッド３を位置決めする。
【００３６】
駆動制御部５が設定する移動位置は、ＴＦＴ基板の電極位置に対応する位置であり、検査ステージ２に載置されたプローバフレーム２０のコンタクトピン２１の設定位置を再現する。
【００３７】
図３に示す構成では、プローバフレーム２０はＴＦＴ基板の検査時とは反転した姿勢であるため、駆動制御部５はこの反転状態を考慮して検査用センサヘッド３の位置データを設定する。
【００３８】
駆動機構４は、検査用センサヘッド３をＸ軸方向、Ｙ軸方向、Ｚ軸方向に移動自在とし、ＴＦＴ基板の位置データに、検査ステージ２に対して所定位置に移動して位置決めする。
【００３９】
検査部７は、一端を検査用センサヘッド３に接続し、他端を検査ステージ２内の配線を介してプローバフレーム２０の出力端に接続することによって、検査用センサヘッド３の接触端３ａ、プローバフレーム２０のコンタクトピン２１、プローバフレーム２０の内部配線を通る回路の導通状態を検査する。
【００４０】
検査部７は、移動位置における出力に基づいて、この導通状態の検査は、プローバフレーム２０の内部配線の導通、およびコンタクトピン２１と検査用センサヘッド３の接触端３ａとの導通の導通状態と、プローバフレーム２０のコンタクトピン２１の設置位置とを検査する。なお、この検査では、導通状態とコンタクトピンの設置位置とが共に良好であるか、あるいは、少なくとも何れか一つが不良であるかを同時に検査する。
【００４１】
図４は駆動機構４の駆動状態を説明するための図である。駆動機構４は、検査用センサヘッド３を図４（ａ）に位置から図４（ｂ）の位置に移動して、接触端３ａをＴＦＴ基板の電極位置に位置決めする。
【００４２】
図５は検査用センサヘッドによる検査状態を説明するための図である。図５（ａ）は非導通状態を示し、図５（ｂ）は導通状態を示している。
【００４３】
図５（ａ）の状態から駆動機構４によってＸ軸方向，Ｙ軸方向，Ｚ軸方向に検査用センサヘッド３を移動し、図５（ｂ）に示すように、検査用センサヘッド３の接触端３ａをＴＦＴ基板の電極位置に移動して位置決めする。
【００４４】
この検査用センサヘッド３の接触端３ａを位置決めした位置と、プローバフレーム２０の対応するコンタクトピン２１の位置とが一致し、コンタクトピン２１と接触端３ａとが接触し、かつ、プローバフレーム２０の内部配線の導通が良好である場合には、検査部７は所定の出力を検出する。一方、この検査用センサヘッド３の接触端３ａを位置決めした位置と、プローバフレーム２０の対応するコンタクトピン２１の位置とが一致していない場合や、コンタクトピン２１と接触端３ａとが接触していない場合、プローバフレーム２０の内部配線の導通が良好でない場合の少なくとも何れか一つがあるときには、検査部７は所定の出力を検出することができない。
【００４５】
これによって、検査部７は、検査部の出力に基づいて、プローバフレームのコンタクトピンの設置位置と、プローバフレームの内部配線およびコンタクトピンとＴＦＴ基板の電極との導通とが共に良であるか、あるいはコンタクトピンの設置位置、内部配線の導通、コンタクトピンとＴＦＴ基板の電極との導通の少なくとも何れか一つが不良であるかを同時に検査する。
【００４６】
図６は、検査用センサヘッド３の接触端３ａとプローバフレーム２０のコンタクトピン２１との位置関係を説明するための図である。
【００４７】
図６（ａ）〜図６（ｃ）はコンタクトピンがＴＦＴ基板の電極と対応する正しい位置に設定されている場合を示している。なお、図６（ａ）は移動前の状態を示し、図６（ｂ），（ｃ）は移動後の接触状態を示している。また、図６（ｃ）はＺ軸方向からみたコンタクトピンと接触端との位置関係を示している。
【００４８】
このとき、検査用センサヘッド３の接触端３ａは、ＴＦＴ基板の電極の位置データに基づいて位置決めされている。そのため、この位置にプローバフレーム２０のコンタクトピン２１が正しく設定されている場合には、接触端３ａはコンタクトピン２１と接触し、検査部は所定出力を検出する。
【００４９】
図６（ｄ）〜図６（ｆ）、図６（ｇ）〜図６（ｉ）、および図６（ｊ），図６（ｋ）はコンタクトピンがＴＦＴ基板の電極と対応する正しい位置に設定されていない場合を示している。
【００５０】
図６（ｄ）〜図６（ｆ）は、コンタクトピンがＸ軸方向に位置ずれしている例であり、図６（ｄ）は移動前の状態を示し、図６（ｅ），（ｆ）は移動後の状態を示している。また、図６（ｆ）はＺ軸方向からみたコンタクトピンと接触端との位置関係を示している。
【００５１】
このとき、検査用センサヘッド３の接触端３ａは、ＴＦＴ基板の電極の位置データに基づいて位置決めされている。そのため、この位置にプローバフレーム２０のコンタクトピン２１がＸ軸方向にΔｘだけ位置ずれし、この位置ずれ分Δｘが接触端３ａの端部から外れる程度まで大きい場合には、接触端３ａはコンタクトピン２１と接触せず、検査部は所定出力を検出することができない。
【００５２】
一方、この位置ずれ分Δｘが接触端３ａの端部から外れる程度まで大きくない場合には、接触端３ａはコンタクトピン２１と一部分が接触する。このときには、検査部が検出する出力は所定出力に達しない場合があり、この出力状態から位置ずれを判定することもできる。
【００５３】
図６（ｇ）〜図６（ｉ）は、コンタクトピンがＹ軸方向に位置ずれしている例であり、図６（ｇ）は移動前の状態を示し、図６（ｈ），（ｉ）は移動後の状態を示している。また、図６（ｉ）はＺ軸方向からみたコンタクトピンと接触端との位置関係を示している。
【００５４】
このとき、検査用センサヘッド３の接触端３ａは、ＴＦＴ基板の電極の位置データに基づいて位置決めされている。そのため、この位置にプローバフレーム２０のコンタクトピン２１がＸ軸方向にΔｘ、Ｙ軸方向にΔｙだけ位置ずれし、この位置ずれ分Δｘ、Δｙが接触端３ａの端部から外れる程度まで大きい場合には、接触端３ａはコンタクトピン２１と接触せず、検査部は所定出力を検出することができない。
【００５５】
一方、この位置ずれ分Δｘ、Δｙが接触端３ａの端部から外れる程度まで大きくない場合には、接触端３ａはコンタクトピン２１と一部分が接触する。このときには、検査部が検出する出力は所定出力に達しない場合があり、この出力状態から位置ずれを判定することもできる。
【００５６】
図６（ｊ），図６（ｋ）は、コンタクトピンがＺ軸方向に位置ずれしている例であり、図６（ｊ）は移動前の状態を示し、図６（ｈ），（ｉ）は移動後の状態を示している。また、図６（ｉ）はＺ軸方向からみたコンタクトピンと接触端との位置関係を示している。
【００５７】
このとき、検査用センサヘッド３の接触端３ａは、ＴＦＴ基板の電極の位置データに基づいて位置決めされている。そのため、この位置にプローバフレーム２０のコンタクトピン２１がＸ軸方向にΔｚだけ位置ずれし、この位置ずれ分Δｚが接触端３ａから離れる方向である場合には、接触端３ａはコンタクトピン２１と接触せず、検査部は所定出力を検出することができない。
【００５８】
また、位置ずれ分Δｚが接触端３ａに近い方向である場合には、検査用センサヘッド３を位置データに基づいて位置決めする前に、接触端３ａとコンタクトピン２１とが接触することになる。この場合には、接触端３ａとコンタクトピン２１とが接触する時点が、検査用センサヘッド３の位置決めが完了する前であることを検出することで、Ｚ軸方向の位置ずれを判定することができる。
【００５９】
本発明の検査用センサヘッド３の接触端３ａの形状および大きさは、ＴＦＴ基板の電極の形状および大きさに合わせて設定することができる。図７は検査用センサヘッド３の接触端３ａの形状および大きさを説明するための図である。
【００６０】
図７（ａ）〜図７（ｃ）は、ＴＦＴ基板の電極形状が矩形である場合を示し、図７（ａ）は移動前の状態を示し、図７（ｂ），（ｃ）は移動後の状態を示している。また、図７（ｃ）はＺ軸方向からみたコンタクトピンと接触端との位置関係を示している。なお、ここでは、矩形として正方形の例を示している。
【００６１】
図７（ｄ）〜図７（ｆ）は、ＴＦＴ基板の電極形状が円形である場合を示し、図７（ｄ）は移動前の状態を示し、図７（ｅ），（ｆ）は移動後の状態を示している。また、図７（ｆ）はＺ軸方向からみたコンタクトピンと接触端との位置関係を示している。
【００６２】
図７では、ＴＦＴ基板の電極形状として矩形および円形の例を示し、この形状および大きさに合わせて検査用センサヘッドの接触端の形状および大きさを設定しているが、形状はこれに限らず任意の形状としてもよい。
【産業上の利用可能性】
【００６３】
本発明のＴＦＴ基板検査装置用プローバフレームの検査装置は、液晶基板検査装置の他、有機ＥＬディスプレイなどに使われる有機ＥＬ基板や半導体基板を検査する検査装置に適用することができる。
【符号の説明】
【００６４】
１…検査装置、２…検査ステージ、３…検査用センサヘッド、３ａ…接触端、４…駆動機構、４ａ…ｘ軸方向移動機構、４ｂ…Ｙ軸方向移動機構、４ｃ…Ｚ軸方向移動機構、５…駆動制御部、６…位置データ記憶部、７…検査部、１０…ＴＦＴ基板、１１…電極、２０…プローバフレーム、２１…コンタクトピン、３０…ステージ。
【図１】
2011007647.tif 000003
【図２】
2011007647.tif 000004
【図５】
2011007647.tif 000005
【図３】
2011007647.tif 000006
【図４】
2011007647.tif 000007
【図６】
2011007647.tif 000008
【図７】
2011007647.tif 000009